(57)【要約】      （修正有）【課題】使い勝手の良い異物除去装置、遊技媒体の洗浄機、または遊技媒体搬送システムを提供する。【解決手段】遊技媒体ＰＭとしての非磁性体と、異物Ｙ，Ｚとしての磁性体と、が接触可能な回転部材１０１と、回転部材１０１の内側に配置される磁石１０６と、を備える異物除去装置１００が提供される。磁石１０６の磁力によって磁性体を回転部材１０１に引き付けて、回転部材１０１の駆動によって磁性体を非磁性体から除去する。【選択図】図９
2019170439.tif 000002
【特許請求の範囲】
【請求項１】
遊技媒体としての非磁性体と、異物としての磁性体と、が接触可能な回転部材と、
前記回転部材の内側に配置される磁石と、を備え、
前記磁石の磁力によって前記磁性体を前記回転部材に引き付けて、前記回転部材の駆動によって前記磁性体を前記非磁性体から除去する、異物除去装置。
【請求項２】
前記回転部材は、前記非磁性体および前記磁性体が下降する際のエネルギーを用いて駆動される、請求項１に記載の異物除去装置。
【請求項３】
前記磁石は電磁石であって、
前記磁性体を前記非磁性体から離間させた状態で前記電磁石をＯＦＦする、請求項２に記載の異物除去装置。
【請求項４】
請求項１から３のいずれか１項に記載の異物除去装置を搭載する、遊技媒体の洗浄機。
【請求項５】
洗浄機と、
前記洗浄機の上流側に配置される、請求項１から３のいずれか１項に記載の異物除去装置と、
遊技媒体貸出機と、
前記遊技媒体貸出機の上流側に配置される、請求項１から３のいずれか１項に記載の異物除去装置と、を備える、遊技媒体搬送システム。
【発明の詳細な説明】
【技術分野】
【０００１】
本発明は、メダルなどの遊技媒体からネジや鉄粉などを取り除くための技術に関する。
【背景技術】
【０００２】
従来から、遊技台の隣または近傍に配置される玉貸機やメダル貸機などの台間機に対してメダルを供給するためのメダル補給機やメダル補給システムが知られている。たとえば、特開平０４−１２６５７９号公報（特許文献１）には、鋼板表面の微鉄粉除去装置が開示されている。また、実開平０４−０４４９８８号公報（特許文献２）には、パチンコ玉搬送装置に於ける異物除去装置が開示されている。
【先行技術文献】
【特許文献】
【０００３】
【特許文献１】特開平０４−１２６５７９号公報
【特許文献２】実開平０４−０４４９８８号公報
【発明の概要】
【発明が解決しようとする課題】
【０００４】
本発明の目的は、使い勝手の良い異物除去装置、遊技媒体の洗浄機、または遊技媒体搬送システムを提供することにある。
【課題を解決するための手段】
【０００５】
この発明のある態様に従うと、遊技媒体としての非磁性体と、異物としての磁性体と、触可能な回転部材と、回転部材の内側に配置される磁石と、を備える異物除去装置が提供される。磁石の磁力によって磁性体を回転部材に引き付けて、回転部材の駆動によって磁性体を非磁性体から除去する。
【発明の効果】
【０００６】
以上のように、本発明によれば、使い勝手の良い異物除去装置、遊技媒体の洗浄機、または遊技媒体搬送システムが提供される。
【図面の簡単な説明】
【０００７】
【図１】本実施の形態に係る遊技機システムの平面図であって、遊技機システムの概略構成を示している。
【図２】本実施の形態に係る遊技機システムにおける特定の遊技機、遊技媒体貸出機、およびそれらに対応する遊技媒体補給ユニットならびに計数機および計数タンクの配置を示す側面図である。
【図３】本実施の形態に係る遊技機システムを構成する遊技機の概略構成図である。図中、実線矢印は遊技媒体の流れを示し、破線矢印は制御信号や各種情報の流れを示している。
【図４】本実施の形態に係る遊技機システムを構成する遊技媒体貸出機の概略構成図である。図中、実線矢印は遊技媒体の流れを示し、一点鎖線矢印は貨幣の流れを示し、破線矢印は制御信号や各種情報の流れを示している。
【図５】本実施の形態に係る遊技機システムを構成する複数台の遊技媒体補給ユニットおよび遊技媒体搬送コンベヤならびに計数機および計数タンクの配置を示す正面図である。
【図６】本実施の形態に係る遊技機システムを構成する遊技媒体補給ユニットの内部構造を示す斜視図である。
【図７】本実施の形態に係る遊技機システムの部分ブロック図である。図中、実線矢印は遊技媒体の流れを示し、破線矢印は制御信号や各種情報の流れを示している。
【図８】第１の実施の形態に係る遊技機システムの異物除去装置の配置位置を示すイメージ図である。
【図９】第１の実施の形態に係る異物除去装置の側面断面図である。
【図１０】第２の実施の形態に係る異物除去装置の側面断面図である。
【図１１】第３の実施の形態に係る異物除去装置の側面断面図である。
【図１２】第５の実施の形態に係る遊技機システムの異物除去装置の第１の配置位置を示すイメージ図である。
【図１３】第５の実施の形態に係る遊技機システムの異物除去装置の第２の配置位置を示すイメージ図である。
【図１４】第５の実施の形態に係る遊技機システムの異物除去装置の第３の配置位置を示すイメージ図である。
【図１５】第５の実施の形態に係る遊技機システムの異物除去装置の第４の配置位置を示すイメージ図である。
【図１６】第５の実施の形態に係る遊技機システムの異物除去装置の第５の配置位置を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
［第１の実施の形態］
＜遊技媒体搬送システム１全体の構成＞
【０００９】
本発明の第１実施形態に係る遊技媒体搬送システム１は、図１に示されるように、主に、遊技機１０Ａ，１０Ｂ，１０Ｃ、遊技媒体貸出機２０Ａ，２０Ｂ，２０Ｃ、遊技媒体補給装置３０から構成されている。以下、これらの構成装置について詳述するが、複数台存在する遊技機１０Ａ，１０Ｂ，１０Ｃおよび遊技媒体貸出機２０Ａ，２０Ｂ，２０Ｃはいずれも同様の構造を有するため、遊技機１０Ａ，１０Ｂ，１０Ｃおよび遊技媒体貸出機２０Ａ，２０Ｂ，２０Ｃについては代表して符号１０Ａを付した遊技機、符号２０Ａを付した遊技媒体貸出機についてのみ説明する。
【００１０】
＜遊技機システムを構成する各装置の詳細＞
（１）遊技機
本発明の第１実施形態に係る遊技機１０Ａは、図１および図２に示されるように、複数台設けられており、遊技媒体貸出機２０Ａと交互に配列されている。すなわち、遊技機１０Ａは遊技媒体貸出機２０Ａと一対をなして配列されていると言える。なお、以下、このような遊技機１０Ａと遊技媒体貸出機２０Ａとの一群を「島」と称することがある。また、図１中、その「島」には符号ＩＬａ，ＩＬｂ，ＩＬｃを付している。
【００１１】
遊技機１０Ａは、遊技操作に際してメダル等の遊技媒体ＰＭを要するスロットマシンや、パチンコ台等の遊技機であって、図３に示されるように、主に、遊技機構１１０Ａ、遊技機制御部１２０Ａ、遊技媒体投入部１３０Ａ、遊技媒体検知部１４０Ａおよび遊技媒体貯留部１５０Ａから構成されている。以下、これらの構成要素について詳述する。
【００１２】
遊技機構１１０Ａは、遊技を具現化する機構である。この遊技機構１１０Ａは、図３に示されるように、遊技機制御部１２０Ａに通信接続されており、遊技機制御部１２０Ａによってその動作が制御される。また、この遊技機構１１０Ａには、遊技媒体ＰＭの受け皿（図示せず）や、大当たり等の発生イベントを検知するイベント検知装置（図示せず）等が設けられている。このイベント検知装置は、遊技機制御部１２０Ａに通信接続されており、大当たり等のイベントが生じたことを検知すると、遊技機制御部１２０Ａにイベント検知信号を送信する。そして、そのイベント検知信号を受信した遊技機制御部１２０Ａは、遊技媒体貯留部１５０Ａの排出機構（後述）のモータ（後述）を駆動させて、一定数量の遊技媒体ＰＭを遊技機構１１０Ａの受け皿に排出する。
【００１３】
遊技機制御部１２０Ａは、遊技機構１１０Ａの各構成部品を制御する部位であって、例えば、マイクロコンピュータ等である。この遊技機制御部１２０Ａは、図３に示されるように、遊技機構１１０Ａ、遊技媒体検知部１４０Ａおよび遊技媒体貯留部１５０Ａに通信接続されている。そして、この遊技機制御部１２０Ａは、上述の通り、遊技機構１１０の動作を制御したり、遊技機構１１０Ａの検知装置から送信されてくる検知信号に基づいて遊技媒体貯留部１５０Ａの動作を制御したりする。
【００１４】
遊技媒体投入部１３０Ａは、遊技者が遊技媒体ＰＭを投入する部位であって、投入された遊技媒体ＰＭの姿勢を整えて遊技媒体検知部１４０Ａに供給するように構成されている。
【００１５】
遊技媒体検知部１４０Ａには、遊技媒体投入部１３０Ａに投入された遊技媒体ＰＭが通過する。そして、この遊技媒体検知部１４０Ａは、その通過する遊技媒体ＰＭを検知してカウントする。なお、この遊技媒体検知部１４０Ａは図３に示されるように遊技機制御部１２０Ａに通信接続されており、遊技媒体検知部１４０Ａにおいて計数された遊技媒体ＰＭの数量情報は、遊技機制御部１２０Ａに送信される。
【００１６】
遊技媒体貯留部１５０Ａは、遊技媒体検知部１４０Ａを通過した遊技媒体ＰＭや、遊技媒体補給ユニット３１０Ａから補給される遊技媒体ＰＭを貯留するための部位であって、主に、貯留タンク（図示せず）、レベルセンサ、排出シューター（図示せず）、オーバーフローシューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技機構１１０Ａの受け皿まで延びている。オーバーフローシューターは、貯留タンクの上側から外方に延びており、貯留タンクに連通している。なお、このオーバーフローシューターの先端の下方には、後述する遊技媒体回収コンベヤ３７０Ａが配設されている。排出機構は、貯留タンクの下端部に配設されている。この排出機構は、遊技媒体貯留部１５０Ａに貯留されている遊技媒体ＰＭを排出シューターへ排出する役目を担うものであって、主に、回転盤およびモータから構成されている。回転盤は、遊技媒体ＰＭを一定方向に送り出す部材であって、モータの回転軸に結合されている。モータは、遊技機制御部１２０Ａに接続されており、遊技機制御部１２０Ａによってその動作が制御される。この遊技機制御部１２０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技機構１１０Ａの受け皿に排出される。この計数センサは、遊技機制御部１２０Ａに通信接続されており、検知遊技媒体数量情報を遊技機制御部１２０Ａに送信する。なお、遊技媒体ＰＭがオーバーフローシューターの位置まで貯留されると、その後さらに貯留タンクに送られてくる遊技媒体ＰＭは、オーバーフローシューターを通って遊技媒体回収コンベヤ３７０Ａに送られる。
【００１７】
（２）遊技媒体貸出機
本発明の第１実施形態に係る遊技媒体貸出機２０Ａは、図１および図２に示されるように、複数台設けられており、遊技機１０Ａと交互に配列されている。すなわち、遊技媒体貸出機２０Ａは遊技機１０Ａと一対をなして配列されていると言える。
【００１８】
遊技媒体貸出機２０Ａは、遊技機で遊技をするために必要となる遊技媒体ＰＭを、貨幣ＭＮと引き換えにして貸し出す機械であって、図４に示されるように、主に、貨幣投入部２１０Ａ、貨幣識別部２２０Ａ、貨幣貯留部２３０Ａ、貸出機制御部２４０Ａ、遊技媒体貯留部２５０Ａ、遊技媒体受け部２６０Ａ、情報表示部（図示せず）および貸出ボタン（図示せず）から構成されている。以下、これらの構成要素について詳述する。
【００１９】
貨幣投入部２１０Ａは、遊技を楽しもうとする者が遊技媒体ＰＭを借り入れる対価としての貨幣ＭＮを投入する部位であって、投入された貨幣ＭＮを仕分けすると共に貨幣ＭＮの姿勢を整えて貨幣貯留部２３０Ａに送り込む役目を担っている。
【００２０】
貨幣識別部２２０Ａは、紙幣や硬貨の種別を識別する部位であって、貨幣投入部２１０Ａと貨幣貯留部２３０Ａとの間に配設されている。そして、この貨幣識別部２２０Ａは、通過する紙幣の券種や硬貨の種別を認識して、貨幣額を計算する。そして、貨幣識別部２２０Ａは、その貨幣額の情報を貸出機制御部２４０Ａに送信する。
【００２１】
貨幣貯留部２３０Ａは、貨幣投入部２１０Ａから貨幣識別部２２０Ａを通って送られてくる紙幣や硬貨を貯留するための部位であって、複数の紙幣収容部および硬貨収容部を有している。紙幣収容部には紙幣が収容され、硬貨収容部には硬貨が収容される。
【００２２】
貸出機制御部２４０Ａは、遊技媒体貸出機２０Ａの各構成部品を制御する部位であって、例えば、マイクロコンピュータ等である。この貸出機制御部２４０Ａは、図４に示されるように、貨幣識別部２２０Ａおよび遊技媒体貯留部２５０Ａに通信接続されている。そして、この貸出機制御部２４０Ａは、貨幣識別部２２０Ａから貨幣額の情報を受信すると、その貨幣額の情報を入金貨幣情報として情報表示部に表示する。その後、この貸出機制御部２４０Ａは、貸出ボタンが押圧されたことを検知すると、遊技媒体貯留部２５０Ａに対して遊技媒体ＰＭの排出指令信号と共に、上述の遊技媒体ＰＭの数量情報を送信する。この排出指令信号および数量情報を受信した遊技媒体貯留部２５０Ａは、数量情報に応じた数量の遊技媒体ＰＭを遊技媒体受け部２６０Ａに排出する。
【００２３】
遊技媒体貯留部２５０Ａは、遊技媒体補給ユニット３１０Ａから補給される遊技媒体ＰＭを貯留するための部位であって、主に、貯留タンク（図示せず）、レベルセンサ、排出シューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技媒体受け部２６０Ａまで延びている。排出機構は、貯留タンクの下端部に配設されている。この排出機構は、遊技媒体貯留部２５０Ａに貯留されている遊技媒体ＰＭを排出シューターへ排出する役目を担うものであって、主に、回転盤およびモータから構成されている。回転盤は、遊技媒体ＰＭを一定方向に送り出す部材であって、モータの回転軸に結合されている。モータは、貸出機制御部２４０Ａに接続されており、貸出機制御部２４０Ａによってその動作が制御される。この貸出機制御部２４０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技媒体受け部２６０Ａに排出される。この計数センサは、貸出機制御部２４０Ａに通信接続されており、検知遊技媒体数量情報を貸出機制御部２４０Ａに送信する。
【００２４】
遊技媒体受け部２６０Ａは、遊技媒体貯留部２５０Ａから排出される遊技媒体ＰＭを受ける部位であって、例えば、受け皿等である。
【００２５】
（３）遊技媒体補給装置
本発明の第１実施形態に係る遊技媒体補給装置３０は、図１に示されるように、主に、遊技媒体補給ユニット３１０Ａ，３１０Ｂ，３１０Ｃ、遊技媒体搬送コンベヤ３５０Ａ，３５０Ｂ、遊技媒体補給コンベヤ３６０Ａ，３６０Ｂ，３６０Ｃ、遊技媒体回収コンベヤ３７０Ａ，３７０Ｂ，３７０Ｃ、計数機３８０および計数タンク３９０から構成されている。
【００２６】
（３−１）遊技媒体補給ユニット
本発明の第１実施形態に係る遊技媒体補給ユニット３１０Ａ，３１０Ｂ，３１０Ｃは、図１および図２に示されるように、各島ＩＬａ，ＩＬｂ，ＩＬｃの片端側に配設されている。また、図１および図５に示されるように、遊技媒体補給ユニット３１０Ａと遊技媒体補給ユニット３１０Ｂとは遊技媒体搬送コンベヤ３５０Ａを介して遊技媒体受渡（相互補給）可能に接続されており、遊技媒体補給ユニット３１０Ｂと遊技媒体補給ユニット３１０Ｃとは遊技媒体搬送コンベヤ３５０Ｂを介して遊技媒体受渡（相互補給）可能に接続されている。また、図１、図２および図５に示されるように、遊技媒体補給ユニット３１０Ａの近傍には計数機３８０および計数タンク３９０が配設されている（なお、図中、遊技媒体補給ユニット３１０Ｂ，３１０Ｃの近傍には計数機３８０および計数タンク３９０が配設されていない。）。そして、この計数タンク３９０は、搬送装置（図示せず）を介して遊技媒体搬出可能に遊技媒体補給ユニット３１０Ａに接続されている（図７参照）。
【００２７】
以下、遊技媒体補給ユニット３１０Ａ，３１０Ｂ，３１０Ｃの内部構造等について詳述するが、複数台存在する遊技媒体補給ユニット３１０Ａ，３１０Ｂ，３１０Ｃは、遊技媒体補給ユニット３１０Ａが唯一表示ユニットを備える点以外、同様の構造を有するため、遊技媒体補給ユニット３１０Ａ，３１０Ｂ，３１０Ｃについては代表して符号３１０Ａを付した遊技媒体補給ユニットについてのみ説明する。
【００２８】
遊技媒体補給ユニット３１０Ａは、遊技機１０Ａおよび遊技媒体貸出機２０Ａへ遊技媒体ＰＭを供給したり、遊技機１０Ａおよび遊技媒体貸出機２０Ａから回収される遊技媒体ＰＭを洗浄して貯留したりするユニットであって、図６および図７に示されるように、主に、表示ユニット３１１ａ、制御ユニット３１２ａ、電源ユニット３１３ａ、補給タンク３１４ａ、洗浄機３１５ａ、異物除去装置１００、補給タンクコンベヤ３１６ａ、集塵機３１７ａ、補給リフト３１８ａ、回収リフト３１９ａ、表示灯３２０ａ、三方向ダクトユニット３２１ａおよび島間補給コンベヤ３２２ａから構成されている。
【００２９】
表示ユニット３１１ａは、タッチパネル等の情報入出力装置であって、図７に示されるように、制御ユニット３１２ａに通信接続されている。なお、この表示ユニット３１１ａは、遊技媒体補給ユニット３１０Ｂ，３１０Ｃには設けられておらず（すなわち表示ユニット３１１ｂ，３１１ｃは存在しない）、遊技媒体補給ユニット３１０Ａにのみ設けられている。表示ユニット３１１ａは、使用者の操作によって複数種類の画面を切換表示することができる。なお、このような画面としては、例えば、メイン画面や、パスワード入力画面、メニュー表示画面、各種設定画面、各種エラー表示画面、各種エラー解除方法表示画面、各種履歴表示画面等が挙げられる。また、この表示ユニット３１１ａは、予め規定された画面において操作ボタンを表示し、その操作ボタンからの入力を受け付けるように構成されている。
【００３０】
制御ユニット３１２ａは、主に、表示ユニット３１１ａ、電源ユニット３１３ａ、洗浄機３１５ａ、集塵機３１７ａおよび表示灯３２０ａに通信接続されている（図７参照）。そして、この制御ユニット３１２ａは、表示ユニット３１１ａから送信される入力情報や、洗浄機３１５ａおよび集塵機３１７ａ等から送信される状態情報等の情報を受信すると共に、その入力情報や状態情報等の情報に基づいて表示ユニット３１１ａに特定の画面や情報を表示したり（画面を切り換えることを含む）、電源ユニット３１３ａから電源供給を受けて、内部のリレー基板（図示せず）により洗浄機３１５ａおよび集塵機３１７ａ等の動作を制御したりする。また、この制御ユニット３１２ａは、遊技媒体補給ユニット３１０Ａが正常運転をしている場合、表示灯３２０ａを青色等に点灯させ、遊技媒体補給ユニット３１０Ａに異常が生じた場合、表示灯３２０ａを赤色等に点灯させる。また、この制御ユニット３１２ａは、電源ユニット３１３ａから電源供給を受けて、内部のリレー基板（図示せず）により、補給タンクコンベヤ３１６ａ、補給リフト３１８ａ、回収リフト３１９ａ、三方向ダクトユニット３２１ａの三方向振分機（後述）および島間補給コンベヤ３２２ａを作動させたり停止させたりする。
【００３１】
また、この制御ユニット３１２ａは、上述の通り、遊技媒体補給コンベヤ３６０Ａの中継基板ユニット３６２ａ（後述）、遊技媒体補給ユニット３１０Ｂの制御ユニット（図示せず）および遊技媒体補給ユニット３１０Ｃの制御ユニット（図示せず）にも通信接続されている。そして、この制御ユニット３１２ａは、中継基板ユニット３６２ａ（後述）、遊技媒体補給ユニット３１０Ｂおよび遊技媒体補給ユニット３１０Ｃから送信される状態情報等の情報を受信すると共に、その状態情報等の情報に基づいて表示ユニット３１１ａに特定の画面や情報を表示する（画面を切り換えることを含む）。さらに、この制御ユニット３１２ａは、電源ユニット３１３ａから電源供給を受けて、内部のリレー基板（図示せず）により、遊技媒体補給コンベヤ３６０Ａ、遊技媒体回収コンベヤ３７０Ａおよび計数タンク３９０の搬送コンベヤ（図示せず）を作動させたり停止させたりする。そして、この制御ユニット３１２ａは、中継基板ユニット３６２ａ（後述）から送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）により補給タンクコンベヤ３１６ａ、補給リフト３１８ａおよび遊技媒体補給コンベヤ３６０Ａ等を作動させて遊技機１０Ａや遊技媒体貸出機２０Ａに遊技媒体ＰＭを供給したりする。さらに、この制御ユニット３１２ａは、遊技媒体補給ユニット３１０Ｂの制御ユニットから送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）により回収リフト３１９ａ、三方向ダクトユニット３２１ａの三方向振分機（後述）および島間補給コンベヤ３２２ａ等を作動させて遊技媒体補給ユニット３１０Ｂに遊技媒体ＰＭを供給したりする。なお、ここで、制御ユニットが遊技媒体補給ユニット３１０Ｂの制御ユニットである場合、その制御ユニットは、遊技媒体補給ユニット３１０Ａ，３１０Ｃの制御ユニットから送信される遊技媒体補給要求信号等を受信した際にその遊技媒体補給要求信号等に応じて遊技媒体補給ユニット３１０Ａの表示ユニット３１１ａに情報を表示したり、電源ユニット３１３ａから電源供給を受けて、内部のリレー基板（図示せず）により遊技媒体補給ユニット３１０Ｂの回収リフト、三方向ダクトユニットの三方向振分機および島間補給コンベヤ等を作動させて遊技媒体補給ユニット３１０Ａ，３１０Ｃに遊技媒体ＰＭを供給したりする。
【００３２】
電源ユニット３１３ａは、電源、電源のブレーカーヒューズおよび端子台等を有しており、制御ユニット３１２ａおよび電力ケーブル（図示せず）を介して表示ユニット３１１ａ、補給タンク３１４ａ、洗浄機３１５ａ、補給タンクコンベヤ３１６ａ、集塵機３１７ａ、補給リフト３１８ａ、回収リフト３１９ａ、表示灯３２０ａ、三方向ダクトユニット３２１ａ、島間補給コンベヤ３２２ａ、遊技媒体補給コンベヤ３６０Ａ、遊技媒体回収コンベヤ３７０Ａおよび計数タンク３９０の搬送コンベヤ（図示せず）等に接続されている。そして、この電源ユニット３１３ａは、制御ユニット３１２ａを介して表示ユニット３１１ａ、洗浄機３１５ａ、集塵機３１７ａ、表示灯３２０ａ、補給タンク３１４ａ、補給タンクコンベヤ３１６ａ、補給リフト３１８ａ、回収リフト３１９ａ、三方向ダクトユニット３２１ａの三方向振分機（後述）、島間補給コンベヤ３２２ａ、遊技媒体補給コンベヤ３６０Ａ、遊技媒体回収コンベヤ３７０Ａおよび計数タンク３９０の搬送コンベヤに対して電源供給を行うと共に、これらの装置を制御している。
【００３３】
補給タンク３１４ａには、遊技媒体ＰＭが貯留される。なお、この補給タンク３１４ａには、洗浄機３１５ａで洗浄された遊技媒体ＰＭのみが貯留される。
【００３４】
洗浄機３１５ａは、例えば、ブラシユニットや、ウェットクロスユニット等である。ブラシユニットは、円筒ブラシ、円筒ブラシを回転可能に軸支する軸受け、円筒ブラシを軸回りに回転させるモータ等の回転駆動源等を有する。このようなブラシユニットでは、投入された遊技媒体ＰＭの表面が、回転する円筒ブラシにより擦られ、その結果、遊技媒体ＰＭのくぼみや溝に入った塵埃等がかき出されて、遊技媒体ＰＭが浄化される。ウェットクロスユニットは、ウェットクロス、ウェットクロスの支持体、搬送装置等を有する。搬送装置は、ウェットクロス近傍に配設されている。また、ウェットクロスには液体が浸み込んでいる。このようなウェットクロスユニットでは、遊技媒体ＰＭがウェットクロスに押し付けられながら搬送装置によって搬送されることによって遊技媒体ＰＭが洗浄される。
【００３５】
本実施の形態においては、図８に示すように、洗浄機３１５ａのメダル受け皿３１６の直上に異物除去装置１００が配置される。異物除去装置１００の詳細な構成については、後述する。
【００３６】
補給タンクコンベヤ３１６ａは、補給タンク３１４ａから遊技媒体ＰＭを補給リフト３１８ａの遊技媒体受け口に排出する役目を担うものである。遊技機１０Ａの遊技機制御部１２０Ａや、遊技媒体貸出機２０Ａの貸出機制御部２４０Ａから制御ユニット３１２ａに遊技媒体ＰＭの遊技媒体補給要求信号が送信されてくると、制御ユニット３１２ａが補給タンクコンベヤ３１６ａに駆動指令信号を送信する。駆動指令信号を受信した補給タンクコンベヤ３１６ａは、一定時間駆動して一定の量の遊技媒体ＰＭを補給リフト３１８ａの遊技媒体受け口に排出する。
【００３７】
集塵機３１７ａは、いわゆる吸引器であって、洗浄機３１５ａに連通している。すなわち、この集塵機３１７ａは、洗浄機３１５ａによりかき出された塵埃等を吸引する。
【００３８】
補給リフト３１８ａは、補給タンクコンベヤ３１６ａから受け取った遊技媒体ＰＭをリフトアップして、遊技媒体ＰＭを遊技媒体補給コンベヤ３６０Ａに受け渡す役目を担っている。
【００３９】
回収リフト３１９ａは、遊技媒体回収コンベヤ３７０Ａから受け取った遊技媒体ＰＭをリフトアップして、三方向ダクトユニット３２１ａの三方向振分機（図示せず）に受け渡す役目を担っている。
【００４０】
表示灯３２０ａは、遊技媒体搬送システム１の状態を使用者が離れたところからでも確認することできるように設けられているものであって、遊技媒体搬送システム１の状態を色分けして使用者に知らせるものである。具体的には、上述の通り、表示灯３２０ａは、制御ユニット３１２ａからの点灯指令信号に従って、点灯させるランプの色を選択している。
【００４１】
三方向ダクトユニット３２１ａは、主に、三方向ダクトおよび三方向振分機から構成されている。三方向振分機（図示せず）は、制御ユニット３１２ａから指令に従って、回収リフト３１９ａによりリフトアップされた遊技媒体ＰＭを、三方向ダクトのいずれかのダクトを介して洗浄機３１５ａ、左側島間補給コンベヤ３２２ａ、右側島間補給コンベヤ３２２ａのいずれかに振り分ける。
【００４２】
島間補給コンベヤ３２２ａには、左側島間補給コンベヤ３２２ａおよび右側島間補給コンベヤ３２２ａが存在する。これらの島間補給コンベヤ３２２ａは、制御ユニット３１２ａから指令に従って、三方向ダクトユニット３２１ａの三方向振分機により振り分けられた遊技媒体ＰＭを、遊技媒体補給ユニット３１０Ｂや遊技媒体補給ユニット３１０Ｃに搬送する。
【００４３】
（３−２）遊技媒体搬送コンベヤ
上述の通り、遊技媒体搬送コンベヤ３５０Ａは遊技媒体補給ユニット３１０Ａと遊技媒体補給ユニット３１０Ｂとを遊技媒体受渡（相互補給）可能に接続しており、遊技媒体搬送コンベヤ３５０Ｂは遊技媒体補給ユニット３１０Ｂと遊技媒体補給ユニット３１０Ｃとを遊技媒体受渡（相互補給）可能に接続している。
【００４４】
ここで、遊技媒体搬送コンベヤ３５０Ａは、遊技媒体補給ユニット３１０Ａの右側島間補給コンベヤ３２２ａおよび遊技媒体補給ユニット３１０Ｂの左側島間補給コンベヤから構成されている。また、遊技媒体搬送コンベヤ３５０Ｂは、遊技媒体補給ユニット３１０Ｂの右側島間補給コンベヤ３２２ａおよび遊技媒体補給ユニット３１０Ｃの左側島間補給コンベヤから構成されている。
【００４５】
（３−３）遊技媒体補給コンベヤ
遊技媒体補給コンベヤ３６０Ａ，３６０Ｂ，３６０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの上側に配設されている。これらの遊技媒体補給コンベヤ３６０Ａ，３６０Ｂ，３６０Ｃは、遊技媒体補給ユニット３１０Ａ，３１０Ｂ，３１０Ｃの補給リフト３１８ａからリフトアップされてくる遊技媒体ＰＭを、遊技機１０Ａ，１０Ｂ，１０Ｃや、遊技媒体貸出機２０Ａ，２０Ｂ，２０Ｃに供給する役割を担っている。
【００４６】
以下、遊技媒体補給コンベヤ３６０Ａ，３６０Ｂ，３６０Ｃの構造等について詳述するが、複数台存在する遊技媒体補給コンベヤ３６０Ａ，３６０Ｂ，３６０Ｃは同様の構造を有するため、遊技媒体補給コンベヤ３６０Ａ，３６０Ｂ，３６０Ｃについては代表して符号３６０Ａを付した遊技媒体補給コンベヤについてのみ説明する。
【００４７】
遊技媒体補給コンベヤ３６０Ａは、図２に示されるように、主に、コンベヤ本体（図示せず）、複数のシャッターユニット３６１ａおよび複数の中継基板ユニット３６２ａから構成されている。シャッターユニット３６１ａは、コンベヤ本体上に配置され、コンベヤ本体により搬送されてきた遊技媒体ＰＭの進行方向を左または右に変えて遊技媒体ＰＭを遊技機１０Ａの遊技媒体貯留部１５０Ａまたは遊技媒体貸出機２０Ａの遊技媒体貯留部２５０Ａに落下させる。なお、このシャッターユニット３６１ａの開閉動作は、中継基板ユニット３６２ａによって制御される。中継基板ユニット３６２ａは、上述の通り、シャッターユニット３６１ａに通信接続されており、シャッターユニット３６１ａの開閉動作を制御する。また、この中継基板ユニット３６２ａは、遊技機１０Ａの遊技媒体貯留部１５０Ａのレベルセンサおよび遊技媒体貸出機２０Ａの遊技媒体貯留部２５０Ａのレベルセンサならびに遊技媒体補給ユニット３１０Ａの制御ユニット３１２ａにも通信接続されている。そして、この中継基板ユニット３６２ａは、レベルセンサから検知信号を受信すると、遊技媒体補給要求信号を生成し、その遊技媒体補給要求信号を遊技媒体補給ユニット３１０Ａの制御ユニット３１２ａに送信する。遊技媒体補給要求信号を受信した遊技媒体補給ユニット３１０Ａの制御ユニット３１２ａは、電源ユニット３１３ａから電源供給を受けて、内部のリレー基板（図示せず）により、補給タンクコンベヤ３１６ａ、補給リフト３１８ａおよび遊技媒体補給コンベヤ３６０Ａを作動させると共に、遊技媒体補給要求信号を送信した中継基板ユニット３６２ａに対してシャッターユニット３６１ａを制御させて、遊技媒体補給コンベヤ３６０Ａのコンベヤ本体上の遊技媒体ＰＭを遊技機１０Ａの遊技媒体貯留部１５０Ａまたは遊技媒体貸出機２０Ａの遊技媒体貯留部２５０Ａに落下させる。
【００４８】
（３−４）遊技媒体回収コンベヤ
遊技媒体回収コンベヤ３７０Ａ，３７０Ｂ，３７０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの下側に配設されている。これらの遊技媒体回収コンベヤ３７０Ａ，３７０Ｂ，３７０Ｃは、遊技機１０Ａの遊技媒体貯留部１５０Ａの貯留タンクからオーバーフローした遊技媒体ＰＭを遊技媒体補給ユニット３１０Ａ，３１０Ｂ，３１０Ｃまで搬送する役目を担っている。
【００４９】
（３−５）計数機
計数機３８０は、主に、遊技媒体投入部（図示せず）および遊技媒体検知部（図示せず）から構成されている。遊技媒体投入部は、遊技媒体ＰＭが投入される部位であって、投入された遊技媒体ＰＭの姿勢を整えると共に、複数の遊技媒体ＰＭが投入された場合、その複数の遊技媒体ＰＭを一つずつ遊技媒体検知部に供給するように構成されている。遊技媒体検知部には、遊技媒体投入部に投入された遊技媒体ＰＭが通過する。そして、この遊技媒体検知部は、その通過する遊技媒体ＰＭを計数する。なお、この遊技媒体検知部は計数機制御部（図示せず）に通信接続されており、遊技媒体検知部において計数された遊技媒体ＰＭの数の情報は、計数機制御部を介して数量表示部（図示せず）に送信されて表示される。
【００５０】
（３−６）計数タンク
計数タンク３９０は、主に、貯留容器（図示せず）および搬送コンベヤ（図示せず）から構成されている。貯留容器には、計数機３８０の遊技媒体計数部を通過した遊技媒体ＰＭが一時的に貯蔵される。搬送コンベヤは、貯留容器中の遊技媒体ＰＭを、一定速度で遊技媒体補給ユニット３１０Ａの回収リフト３１９ａの遊技媒体受け口へ搬送する。その後、遊技媒体受け口へ搬送された遊技媒体ＰＭは、回収リフト３１９ａによってリフトアップされ、洗浄機３１５ａを経て補給タンク３１４ａに貯留される。
＜異物除去装置１００の構成＞
【００５１】
次に、本実施の形態にかかる異物除去装置１００の構成について説明する。図８に示すように、本実施の形態においては、異物除去装置１００は、洗浄機３１５ａのメダル受け皿３１６の直上流に配置される。
【００５２】
図９は、本実施の形態にかかる異物除去装置１００の側面断面図である。図９に示すように、本実施の形態にかかる異物除去装置１００は、主に、メダルなどの遊技媒体ＰＭがコンベアなどから落下してくる通路１００１と、羽根車１０１と、伝達ギア１０４と、タイミングベルト１０８と、駆動プーリ１０９Ａと、従動プーリ１０９Ｂと、異物搬送ベルト１０５と、マグネットプレート１０６と、異物投入トレイ１０７などを含む。
【００５３】
羽根車１０１は、落下してくる遊技媒体ＰＭが当接する複数の羽部１０２と、複数の羽部１０２の中心部を構成し、ギアが形成される基部１０３とを含む。遊技媒体ＰＭの落下エネルギーによって羽部１０２が回動し、それによって基部１０３のギアが伝達ギア１０４に駆動力を伝達する。伝達ギア１０４は、タイミングベルト１０８を介して、駆動プーリ１０９Ａに駆動力を伝達する。このようにして、遊技媒体ＰＭの落下エネルギーによって、異物搬送ベルト１０５が駆動される。異物搬送ベルト１０５は、斜め上方に向けて駆動される。
【００５４】
異物搬送ベルト１０５の、駆動プーリ１０９Ａの上端部を超えた箇所に、異物投入トレイ１０７が設けられる。なお、異物以外が異物投入トレイ１０７まで搬送されてしまわないように、異物搬送ベルト１０５の上部には、分離ブラシ１００４などが配置されると好ましい。
【００５５】
そして、本実施の形態においては、異物搬送ベルト１０５の内側、すなわち異物搬送ベルト１０５の下側にマグネットプレート１０６が配置されている。マグネットプレート１０６は、異物搬送ベルト１０５のうちの、上半分、すなわち従動プーリ１０９Ｂの上部から駆動プーリ１０９Ａの上部まで配置される。これによって、ネジＹや鉄粉Ｚなどの磁性体がマグネットプレート１０６に引き付けられることによって異物搬送ベルト１０５に当接して、異物搬送ベルト１０５の摩擦力により斜め上方へ搬送される。ネジＹや鉄粉Ｚなどの磁性体は、駆動プーリ１０９Ａの上端部を超えた部分で、マグネットプレート１０６の磁力から解放されて、異物投入トレイ１０７に落下する。
【００５６】
一方、メダルなどの非磁性体の遊技媒体ＰＭは、マグネットプレート１０６に引き付けられないため、異物搬送ベルト１０５の表面を滑ったり、転がったりして、下方へ落ちていく。
【００５７】
以上のように、本実施の形態にかかる異物除去装置１００においては、簡単な構成で、メダルなどの非磁性体の遊技媒体ＰＭからネジＹや鉄粉Ｚなどの磁性体を除去することができる。特に、本実施の形態にかかる異物除去装置１００においては、モータなどのように、電力を使わずに、メダルなどの非磁性体の遊技媒体ＰＭからネジＹや鉄粉Ｚなどの磁性体を除去することができる
［第２の実施の形態］
【００５８】
異物除去装置１００は、上記のような構成に限られず、他の型式であってもよい。たとえば、図１０に示すように、本実施の形態にかかる異物除去装置２００は、主に、メダルなどの遊技媒体ＰＭが落下する通路２００１と、当該通路２００１の両側に対向して配置される２つの羽根車２０１と、を含む。
【００５９】
羽根車２０１の各々は、落下してくる遊技媒体ＰＭが当接する複数の羽部２０２と、複数の羽部２０２の中心部を構成し、形成される基部２０３とを含む。羽根車２０１の直下には、異物投入トレイ２０７が設けられる。そして、基部２０３の内側の通路２００１側には、マグネット２０６が固定される。本実施の形態においては、マグネット２０６は回転せずに、基部２０３と羽部２０２とが回転する。
【００６０】
これによって、遊技媒体ＰＭの落下エネルギーによって羽部２０２が回動する。ネジＹや鉄粉Ｚなどの磁性体がマグネット２０６に引き付けられることによって羽根車２０１に引き寄せられる。ネジＹや鉄粉Ｚなどの磁性体は、羽根車２０１の下部において、マグネット２０６からの磁力から解放されて、異物投入トレイ２０７に落下する。
【００６１】
一方、メダルなどの非磁性体の遊技媒体ＰＭは、マグネット２０６に引き付けられないため、通路２００１内をそのまま下方へ落ちていく。
［第３の実施の形態］
【００６２】
マグネット２０６は、電磁石２０６Ｂであってもよい。たとえば、図１１に示すように、本実施の形態にかかる異物除去装置２００においては、基部２０３の内側に複数のマグネット２０６Ｂ，２０６Ｂが取り付けられる。本実施の形態においては、マグネット２０６Ｂも基部２０３とともに回転する。マグネット２０６Ｂ，２０６Ｂの各々は、通路２００１側に位置するときに磁力を発し、通路２００１に反対側に位置するときに磁力を発しない。
【００６３】
これによって、遊技媒体ＰＭの落下エネルギーによって羽部２０２が回動する。ネジＹや鉄粉Ｚなどの磁性体がマグネット２０６Ｂに引き付けられることによって羽根車２０１に引き寄せられる。ネジＹや鉄粉Ｚなどの磁性体は、羽根車２０１の下部において、マグネット２０６Ｂからの磁力から解放されて、異物投入トレイ２０７に落下する。
［第４の実施の形態］
【００６４】
上記の実施の形態においては、羽根車１０１，２０１や駆動プーリ１０９Ａが、メダルなどの遊技媒体ＰＭやネジＹの位置エネルギーすなわち落下エネルギーなどによって駆動されるものであった。すなわち、モータなどの動力を必要としないものであった。
【００６５】
しかしながら、羽根車１０１，２０１や駆動プーリ１０９Ａがモータによって駆動される形態であってもよい。この場合は、通路１００１，２００１も上下方向ではなく、水平や斜め方向に形成されてもよい。
［第５の実施の形態］
【００６６】
上記の実施の形態においては、図８に示すように、洗浄機３１５ａの受け皿３１６の直上流に異物除去装置１００が配置されるものであった。しかしながら、異物除去装置１００の配置位置は、このような形態には限られない。
【００６７】
たとえば、図１２に示すように、洗浄機３１５ａ内に、異物除去装置１００Ｂが搭載されるものであってもよい。具体的には、洗浄機３１５ａの内部の、上流側、たとえばメダルが投入された直後の位置に異物除去装置１００Ｂが配置されるものであってもよい。
【００６８】
あるいは、図１３に示すように、異物除去装置１００Ｃは、回収コンベア３７０Ａのどこかに配置されるものであってもよい。
【００６９】
あるいは、図１４に示すように、異物除去装置１００Ｄは、補給リフト３１８ａや補給コンベア３６０Ａのどこかに配置されるものであってもよい。
【００７０】
あるいは、図１５に示すように、異物除去装置１００Ｅは、遊技媒体貸出機２０Ａの直上流や、遊技媒体貸出機２０Ａの内部に設けられてもよい。
【００７１】
さらには、図１６に示すように、異物除去装置１００が複数箇所に配置されてもよい。たとえば、洗浄機３１５ａの上流と遊技媒体貸出機２０Ａの上流とに異物除去装置１００が配置されてもよい。この場合は、遊技媒体貸出機２０Ａの上流に配置される異物除去装置１００Ｅは鉄粉Ｚを除去するために磁力が弱いマグネットを搭載したり、洗浄機３１５ａの上流に配置される異物除去装置１００はネジＹを除去するための磁力が強いマグネットを搭載したりしてもよい。
［第６の実施の形態］
【００７２】
上記の実施の形態においては、搬送対象物として、メダルをあげているが、メダル以外の遊技媒体に利用してもよいし、遊技媒体以外のお菓子やその他の商品や部品などの搬送に利用してもよい。つまり、搬送装置は、メダル搬送装置５００に限らず、他の搬送装置であってもよい。
［まとめ］
【００７３】
上記の実施の形態においては、遊技媒体ＰＭとしての非磁性体と、異物Ｙ，Ｚとしての磁性体と、が接触可能な回転部材１０１，２０１と、回転部材１０１，２０１の内側に配置される磁石１０６，２０６，２０６Ｂと、を備える異物除去装置１００が提供される。磁石１０６，２０６，２０６Ｂの磁力によって磁性体を回転部材１０１，２０１に引き付けて、回転部材１０１，２０１の駆動によって磁性体を非磁性体から除去する。
【００７４】
好ましくは、回転部材１０１，２０１は、非磁性体および磁性体が下降する際のエネルギーを用いて駆動される。
【００７５】
好ましくは、磁石は電磁石２０６Ｂである。磁性体を非磁性体から離間させた状態で電磁石をＯＦＦする。
【００７６】
好ましくは、異物除去装置１００を搭載する、遊技媒体ＰＭの洗浄機３１５ａが提供される。
【００７７】
好ましくは、洗浄機３１５ａと、洗浄機３１５ａの上流側に配置される異物除去装置１００と、遊技媒体貸出機２０Ａと、遊技媒体貸出機２０Ａの上流側に配置される異物除去装置１００と、を備える、遊技媒体搬送システム１が提供される。
【００７８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７９】
１        ：遊技媒体搬送システム
１０Ａ    ：遊技機
１０Ｂ    ：遊技機
１０Ｃ    ：遊技機
２０Ａ    ：遊技媒体貸出機
２０Ｂ    ：遊技媒体貸出機
２０Ｃ    ：遊技媒体貸出機
３０      ：遊技媒体補給装置
１００    ：異物除去装置
１０１    ：羽根車（回転部材）
１０２    ：羽部
１０３    ：基部
１０４    ：伝達ギア
１０５    ：異物搬送ベルト
１０６    ：マグネットプレート
１０７    ：異物投入トレイ
１０８    ：タイミングベルト
１０９Ａ  ：駆動プーリ
１０９Ｂ  ：従動プーリ
１１０    ：遊技機構
１１０Ａ  ：遊技機構
１２０Ａ  ：遊技機制御部
１３０Ａ  ：遊技媒体投入部
１４０Ａ  ：遊技媒体検知部
１５０Ａ  ：遊技媒体貯留部
２００    ：異物除去装置
２０１    ：羽根車
２０２    ：羽部
２０３    ：基部
２０６    ：磁石
２０６Ｂ  ：電磁石
２０７    ：異物投入トレイ
２１０Ａ  ：貨幣投入部
２２０Ａ  ：貨幣識別部
２３０Ａ  ：貨幣貯留部
２４０Ａ  ：貸出機制御部
２５０Ａ  ：遊技媒体貯留部
２６０Ａ  ：遊技媒体受け部
３１０Ａ  ：遊技媒体補給ユニット
３１０Ｂ  ：遊技媒体補給ユニット
３１０Ｃ  ：遊技媒体補給ユニット
３１１ａ  ：表示ユニット
３１１ｂ  ：表示ユニット
３１１ｃ  ：表示ユニット
３１２ａ  ：制御ユニット
３１３ａ  ：電源ユニット
３１４ａ  ：補給タンク
３１５ａ  ：洗浄機
３１６    ：メダル受け皿
３１６ａ  ：補給タンクコンベヤ
３１７ａ  ：集塵機
３１８ａ  ：補給リフト
３１９ａ  ：回収リフト
３２０ａ  ：表示灯
３２１ａ  ：三方向ダクトユニット
３２２ａ  ：島間補給コンベヤ
３５０Ａ  ：遊技媒体搬送コンベヤ
３５０Ｂ  ：遊技媒体搬送コンベヤ
３６０Ａ  ：遊技媒体補給コンベヤ
３６０Ｂ  ：遊技媒体補給コンベヤ
３６０Ｃ  ：遊技媒体補給コンベヤ
３６１ａ  ：シャッターユニット
３６２ａ  ：中継基板ユニット
３７０Ａ  ：遊技媒体回収コンベヤ
３７０Ｂ  ：遊技媒体回収コンベヤ
３７０Ｃ  ：遊技媒体回収コンベヤ
３８０    ：計数機
３８０Ａ  ：補給コンベア
３９０    ：計数タンク
１００１  ：通路
１００４  ：分離ブラシ
２００１  ：通路
ＩＬａ    ：島
ＭＮ      ：貨幣
ＰＭ      ：遊技媒体
Ｙ        ：ネジ
Ｚ        ：微鉄粉
【図１】
2019170439.tif 000003
【図２】
2019170439.tif 000004
【図３】
2019170439.tif 000005
【図４】
2019170439.tif 000006
【図５】
2019170439.tif 000007
【図６】
2019170439.tif 000008
【図７】
2019170439.tif 000009
【図８】
2019170439.tif 000010
【図９】
2019170439.tif 000011
【図１０】
2019170439.tif 000012
【図１１】
2019170439.tif 000013
【図１２】
2019170439.tif 000014
【図１３】
2019170439.tif 000015
【図１４】
2019170439.tif 000016
【図１５】
2019170439.tif 000017
【図１６】
2019170439.tif 000018
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
遊技媒体としての非磁性体と、異物としての磁性体と、が接触可能であって、前記非磁性体および前記磁性体が下降する際のエネルギーを用いて駆動される回転部材と、
前記回転部材の内側に配置される磁石と、を備え、
前記磁石の磁力によって前記磁性体を前記回転部材に引き付けて、前記回転部材の駆動によって前記磁性体を前記非磁性体から除去する、異物除去装置。
【請求項２】
前記磁石は電磁石であって、
前記磁性体を前記非磁性体から離間させた状態で前記電磁石をＯＦＦする、請求項１に記載の異物除去装置。
【請求項３】
請求項１または２に記載の異物除去装置を搭載する、遊技媒体の洗浄機。
【請求項４】
洗浄機と、
前記洗浄機の上流側に配置される、請求項１または２に記載の異物除去装置と、
遊技媒体貸出機と、
前記遊技媒体貸出機の上流側に配置される、請求項１または２に記載の異物除去装置と、を備える、遊技媒体搬送システム。